(57)【要約】【課題】表示領域の最外放電セルの放電安定性を維持し、非表示領域から放出される不要な光を減少させるプラズマディスプレイパネルを提供する。【解決手段】互いに対向配置される第１基板１０及び第２基板２０と、第１基板と第２基板との間に形成され、第１方向に延びるアドレス電極１１と、第１基板と第２基板との間に形成され、放電セル１７を画定する隔壁１６と、放電セル内に形成される蛍光体層１９と、第１基板と第２基板との間に放電セルに対応するように形成され、第１方向と交差する第２方向に延びる第１電極３１及び第２電極３２と、を含み、画像を表示する表示領域ＡＡと、表示領域の外周部に備えられて画像を表示しない非表示領域ＢＢとが形成され、第１電極及び第２電極の各々は、表示領域に隣接する非表示領域の放電セルに対応するように形成され、表示領域における第１電極及び第２電極の形状と異なる形状を有する副電極を含む。【選択図】図１
2007042639.tif 000002
【特許請求の範囲】
【請求項１】
互いに対向配置される第１基板及び第２基板と、
前記第１基板と前記第２基板との間に形成され、第１方向に延びるアドレス電極と、
前記第１基板と前記第２基板との間に形成され、放電セルを画定する隔壁と、
前記放電セル内に形成される蛍光体層と、
前記第１基板と前記第２基板との間に前記放電セルに対応するように形成され、前記第１方向と交差する第２方向に延びる第１電極及び第２電極と、を含み、
画像を表示する表示領域と、当該表示領域の外周部に備えられて画像を表示しない非表示領域とが形成され、
前記第１電極及び前記第２電極の各々は、
前記表示領域に隣接する前記非表示領域の放電セルに対応するように形成され、当該表示領域における前記第１電極及び第２電極の形状と異なる形状を有する副電極を含む、プラズマディスプレイパネル。
【請求項２】
前記第１電極の副電極と前記第２電極の副電極とは、間隔をおいて互いに対向配置される、請求項１に記載のプラズマディスプレイパネル。
【請求項３】
前記間隔は、前記表示領域における前記第１電極と前記第２電極との放電ギャップと同一の大きさである、請求項２に記載のプラズマディスプレイパネル。
【請求項４】
前記第１電極及び前記第２電極の各々は、
前記隔壁に対応して前記第２方向に延びるバス電極と、
前記バス電極から前記放電セルの中心部に向かって突出する透明電極と、を含む、請求項１に記載のプラズマディスプレイパネル。
【請求項５】
前記副電極は、前記非表示領域に位置する前記第１電極及び第２電極の透明電極であって、
前記非表示領域における前記第１電極の透明電極と前記第２電極の透明電極とは、間隔をおいて対向配置され、
前記間隔は、前記表示領域における前記第１電極の透明電極と前記第２電極の透明電極との放電ギャップと同一の大きさである、請求項４に記載のプラズマディスプレイパネル。
【請求項６】
前記副電極は、前記非表示領域に位置する前記第１電極及び第２電極の透明電極であって、
前記非表示領域の透明電極は、前記表示領域の透明電極よりも小さい面積を有する、請求項４に記載のプラズマディスプレイパネル。
【請求項７】
前記非表示領域の透明電極は、
前記バス電極から前記第１方向に延びる第１部材と、
前記非表示領域の放電セルを通過するように前記第１部材の端部から前記第２方向に延びる第２部材と、を含む、請求項５に記載のプラズマディスプレイパネル。
【請求項８】
前記第１部材は、前記第１方向に延びる前記隔壁に対応して形成される、請求項７に記載のプラズマディスプレイパネル。
【請求項９】
前記第１部材は、前記表示領域に隣接する隔壁に対応して形成される、請求項８に記載のプラズマディスプレイパネル。
【請求項１０】
前記第１部材は、前記非表示領域のバス電極から前記第１方向に複数延びる、請求項７に記載のプラズマディスプレイパネル。
【請求項１１】
前記第１部材が前記表示領域から遠くに位置するほど、前記第１部材の幅が広く形成される、請求項１０に記載のプラズマディスプレイパネル。
【請求項１２】
前記隔壁は、
前記第１方向に沿って形成される第１隔壁部材と、
前記第２方向に沿って形成されて前記第１隔壁部材と交差する第２隔壁部材と、を含む、請求項１に記載のプラズマディスプレイパネル。
【請求項１３】
前記非表示領域で前記第１方向に隣接する前記第２隔壁部材の間に配置され、前記第２方向に延びる第３隔壁部材をさらに含み、
前記第３隔壁部材を隔てて少なくとも一対の副電極が対向配置される、請求項１２に記載のプラズマディスプレイパネル。
【請求項１４】
互いに対向配置される第１基板と第２基板との間に形成され、第１方向に延びるアドレス電極と、
前記第１基板と前記第２基板との間に放電セルに対応するように形成され、前記第１方向と交差する第２方向に延びる第１電極及び第２電極と、を含み、
画像を表示する表示領域と、当該表示領域の外周部に備えられて画像を表示しない非表示領域とが形成され、
前記第１電極及び前記第２電極の各々は、
前記放電セルを画定する隔壁に対応して前記第２方向に延びるバス電極と、当該バス電極から放電セルの中心部に向かって突出する透明電極と、を含み、
前記非表示領域における前記第１電極の透明電極と前記第２電極の透明電極との間隔は、前記表示領域における前記第１電極の透明電極と前記第２電極の透明電極との間隔と実質的に同一であって、
前記非表示領域の透明電極の面積は、前記表示領域の透明電極の面積よりも小さい、プラズマディスプレイパネル。
【請求項１５】
前記非表示領域の透明電極は、
前記バス電極から前記第１方向に延びる第１部材と、
前記非表示領域の放電セルを通過するように前記第１部材の端部から前記第２方向に延びる第２部材と、を含む、請求項１４に記載のプラズマディスプレイパネル。
【請求項１６】
前記第１部材は、前記非表示領域のバス電極から前記第１方向に複数延びる、請求項１５に記載のプラズマディスプレイパネル。
【請求項１７】
前記第１部材が前記表示領域から遠くに位置するほど、前記第１部材の幅が広く形成される、請求項１６に記載のプラズマディスプレイパネル。
【請求項１８】
前記放電セルは、第１方向に延びる第１隔壁部材と、前記第１隔壁部材と交差する第２隔壁部材とによって画定され、
前記プラズマディスプレイパネルは、
前記非表示領域における前記第１電極の透明電極と前記第２電極の透明電極との間に形成され、前記第２方向に延びる第３隔壁部材をさらに含む、請求項１４に記載のプラズマディスプレイパネル。
【発明の詳細な説明】
【技術分野】
【０００１】
本発明はプラズマディスプレイパネルに係り、より詳しくは、表示領域の最外放電セルの放電安定性を維持しながら、非表示領域から放出される不要な光（Ｎｅ光）を減少させるプラズマディスプレイパネルに関するものである。
【背景技術】
【０００２】
一般的に、プラズマディスプレイパネル（ＰＤＰ）は、ガス放電現象を利用して画像を表示する装置であって、表示容量、輝度、コントラスト、残像、及び視野角などの優れた表示能力を有している。
【０００３】
このプラズマディスプレイパネルは、維持電極及び走査電極を備えた前面基板と、アドレス電極を備えた背面基板とを密封接着させて構成される。また、前面基板と背面基板との間には、隔壁によって放電セルが区画形成され、放電セル内には放電ガス（例えば、ネオン（Ｎｅ）とキセノン（Ｘｅ）の混合ガス）が充填されている。
【０００４】
このようなプラズマディスプレイパネルにおいて、アドレス放電によって点灯される放電セルが選択され、この選択された放電セルで維持放電が起こって画像が具現される。
【０００５】
つまり、アドレス電極にアドレス電圧が印加され、走査電極にスキャン電圧が印加されれば、二つの電極の間でアドレス放電が起こる。そして、このアドレス放電によって壁電荷が形成され、点灯される放電セルが選択される。
【０００６】
その後、維持電極及び走査電極に維持電圧が交互に印加されれば、維持電極及び走査電極の周囲の電子及びイオンが、維持電圧の極性によって維持電極と走査電極との間で移動するようになる。
【０００７】
この時、壁電荷による壁電圧と印加された維持電圧との合計が放電開始電圧を越えると、選択された放電セル内で維持放電が起こる。
【０００８】
この維持放電により、放電セル内では真空紫外線が発生し、この真空紫外線が蛍光体を励起させる。励起された蛍光体は底状態に転移しながら可視光を発生させる。
【０００９】
この維持電極及び走査電極の各々は、放電セル内で維持放電を起こす透明電極と、この透明電極に電圧を印加するバス電極とを含む。
【００１０】
また、プラズマディスプレイパネルには、画像を表示する表示領域と画像を表示しない非表示領域とが形成される。この非表示領域は表示領域の外周部に形成され、電極を駆動する回路との連結のために端子部を備える。
【００１１】
この非表示領域に透明電極が備えられなかった場合、実質的に維持放電は起きない。しかし、このような場合、表示領域の最外部に位置する放電セルは隣接する放電セルからの電荷の供給を受けられなくなる。これにより、表示領域の最外部に位置する放電セルでは、放電安定性が劣るようになる。
【００１２】
これとは反対に、非表示領域に透明電極が備えられる場合、表示領域の最外部に位置する放電セルは隣接する放電セルから電荷の供給を受けることができるが、非表示領域で不要な維持放電が起こる恐れがある。これにより、可視光が発生して明暗比が低下し、放電電流の増加により消費電力が増加する。
【発明の開示】
【発明が解決しようとする課題】
【００１３】
本発明の目的は、表示領域の最外放電セルの放電安定性を維持し、非表示領域から放出される不要な光（Ｎｅ光）を減少させるプラズマディスプレイパネルを提供することにある。
【課題を解決するための手段】
【００１４】
本発明の一実施の形態によるプラズマディスプレイパネルは、互いに対向配置される第１基板及び第２基板と、前記第１基板と前記第２基板との間に形成され、第１方向に延びるアドレス電極と、前記第１基板と前記第２基板との間に形成され、放電セルを画定する隔壁と、前記放電セル内に形成される蛍光体層と、前記第１基板と前記第２基板との間に前記放電セルに対応するように形成され、前記第１方向と交差する第２方向に延びる第１電極及び第２電極と、を含み、画像を表示する表示領域と、前記表示領域の外周部に備えられて画像を表示しない非表示領域と、が形成されることができる。この場合、前記第１電極及び前記第２電極の各々は、前記表示領域に隣接する前記非表示領域の放電セルに対応するように形成され、当該表示領域における前記第１電極及び第２電極の形状と異なる形状を有する副電極を含むことができる。
【００１５】
前記第１電極の副電極と前記第２電極の副電極とは、間隔をおいて互いに対向配置されることができる。
【００１６】
前記間隔は、前記表示領域における前記第１電極と前記第２電極との放電ギャップと同一の大きさであることができる。
【００１７】
前記第１電極及び前記第２電極の各々は、前記隔壁に対応して前記第２方向に延びるバス電極と、前記バス電極から前記放電セルの中心部に向かって突出する透明電極と、を含むことができる。
【００１８】
この場合、前記副電極は、前記非表示領域に位置する前記第１電極及び第２電極の透明電極であって、前記非表示領域における前記第１電極の透明電極と前記第２電極の透明電極とは、間隔をおいて対向配置され、前記間隔は、前記表示領域における前記第１電極の透明電極と前記第２電極の透明電極との放電ギャップと同一の大きさであることができる。
【００１９】
前記副電極は、前記非表示領域に位置する前記第１電極及び第２電極の透明電極であって、前記非表示領域の透明電極は、前記表示領域の透明電極よりも小さい面積を有することができる。
【００２０】
前記非表示領域の透明電極は、前記バス電極から前記第１方向に延びる第１部材と、前記非表示領域の放電セルを通過するように前記第１部材の端部から前記第２方向に延びる第２部材と、を含むことができる。
【００２１】
前記第１部材は、前記第１方向に延びる前記隔壁に対応して形成されることができる。
【００２２】
前記第１部材は、前記表示領域に隣接する隔壁に対応して形成されることができる。
【００２３】
前記第１部材は、前記非表示領域のバス電極から前記第１方向に複数延びることができる。この時、前記第１部材が前記表示領域から遠くに位置するほど、前記第１部材の幅が広く形成されることができる。
【００２４】
前記隔壁は、前記第１方向に沿って形成される第１隔壁部材と、前記第２方向に沿って形成されて前記第１隔壁部材と交差する第２隔壁部材と、を含むことができる。
【００２５】
また、前記非表示領域で前記第１方向に隣接する前記第２隔壁部材の間に配置され、前記第２方向に延びる第３隔壁部材をさらに含むことができる。この場合、前記第３隔壁部材を隔てて少なくとも一対の副電極が互いに対向配置されることができる。
【００２６】
また、本発明の一実施の形態によるプラズマディスプレイパネルは、互いに対向配置される第１基板と第２基板との間に形成され、第１方向に延びるアドレス電極と、前記第１基板と前記第２基板との間に放電セルに対応するように形成され、前記第１方向と交差する第２方向に延びる第１電極及び第２電極と、を含み、画像を表示する表示領域と、当該表示領域の外周部に備えられて画像を表示しない非表示領域とが形成され、前記第１電極及び前記第２電極の各々は、前記放電セルを画定する隔壁に対応して前記第２方向に延びるバス電極と、当該バス電極から放電セルの中心部に向かって突出する透明電極と、を含むことができる。この場合、前記非表示領域における前記第１電極の透明電極と前記第２電極の透明電極との間隔は、前記表示領域における前記第１電極の透明電極と前記第２電極の透明電極との間隔と実質的に同一であって、前記非表示領域の透明電極の面積は、前記表示領域の透明電極の面積よりも小さく形成されることができる。
【発明の効果】
【００２７】
本発明によるプラズマディスプレイパネルによれば、表示領域の最外放電セルに隣接する非表示領域に、透明電極で形成される副電極が備えられる。この副電極は、表示領域と同一な大きさの放電ギャップを形成するが、副電極の面積が小さく形成されるので、副電極の間で実質的な放電は起きなくなる。これにより、非表示領域で不要な光の発生が減少され、明暗比が向上する効果がある。また、副電極の面積が小さく形成されるので、放電電流が減少するようになり、消費電力を減少させることができる。
【００２８】
また、副電極は、非表示領域上で所定の間隔を形成するので、非表示領域から表示領域の最外放電セルに電荷を供給することができ、表示領域の最外放電セルの放電安定性が向上される。
【発明を実施するための最良の形態】
【００２９】
以下、本発明の属する技術分野における通常の知識を有する者が容易に実施できるように、本発明の実施の形態について添付した図面を参照して詳細に説明する。しかし、本発明は多様な相違した形態で実現でき、ここで説明する実施の形態に限定されない。図面において、本発明を明確に説明するために、説明と関係ない部分は省略しており、明細書全体を通じて同一又は類似な構成要素については同一図面符号を付けた。
【００３０】
図１は、本発明の第１の実施の形態によるプラズマディスプレイパネルを示した部分分解斜視図であり、図２は、図１で、隔壁及び電極の配置関係を概略的に示した部分平面図であり、図３は、図１のプラズマディスプレイパネルを組み立て、III−III線に沿って切断した断面を示した断面図である。
【００３１】
この図面を参照すれば、本発明の第１の実施の形態によるプラズマディスプレイパネルは、所定の間隔をおいて対向配置される背面基板（第１基板）１０及び前面基板（第２基板）２０と、この背面基板１０と前面基板２０との間に備えられる隔壁１６とを含む。
【００３２】
この隔壁１６は、背面基板１０と前面基板２０との間で複数の放電セル１７を画定する。この放電セル１７は、真空紫外線を吸収して可視光を放出する蛍光体層１９を備える。そして、この放電セル１７には、プラズマ放電によって真空紫外線が発生するように、放電ガス（例えば、ネオン（Ｎｅ）及びキセノン（Ｘｅ）などを含む混合ガス）が充填される。
【００３３】
また、プラズマディスプレイパネルには、各放電セル１７に対応するアドレス電極１１、維持電極（第１電極）３１、及び走査電極（第２電極）３２が備えられる。これらの電極はプラズマ放電に関与するようになり、プラズマ放電によって真空紫外線が生成される。そして、この真空紫外線は蛍光体層１９に衝突し、これによって可視光が発生する。
【００３４】
具体的に、アドレス電極１１は、背面基板１０の内側表面で第１方向（図面のｙ軸方向）に沿って延びて形成され、第１方向に隣接する放電セル１７に連続的に対応する。そして、複数のアドレス電極１１は、第１方向と交差する第２方向（図面のｘ軸方向）に沿って隣接する放電セル１７に各々対応して、並ぶように配置される。
【００３５】
このアドレス電極１１は誘電層１３で覆われる。この誘電層１３は、放電時にアドレス電極１１の損傷を防止し、壁電荷を形成及び蓄積する役割を果たす。
【００３６】
また、可視光は背面基板１０を透過する必要がないため、背面基板１０上に形成されたアドレス電極１１は、通電性に優れた金属電極で形成されることができる。
【００３７】
隔壁１６は、誘電層１３上に備えられて放電セル１７を画定する。この隔壁１６は、示されているように、第１方向（図面のｙ軸方向）に延びて形成される第１隔壁部材１６ａと、第２方向（図面のｘ軸方向）に延びて形成される第２隔壁部材１６ｂとを含むことができる。つまり、第１隔壁部材１６ａは、互いに隣接するアドレス電極１１の間に対応して配置され、このアドレス電極１１と互いに並ぶように形成される。第２隔壁部材１６ｂは、維持電極３１と走査電極３２に対応して配置される（図２参照）。
【００３８】
このように、互いに交差して形成される第１隔壁部材１６ａ及び第２隔壁部材１６ｂによって閉鎖型隔壁構造が形成される。この閉鎖型隔壁構造は、放電セル１７間のクロストークを効果的に防止することができる。
【００３９】
この閉鎖型隔壁構造の平面形状は、示されているように四角形に限定されず、六角形及び八角形などに形成されることができる。また、隔壁１６は、第１隔壁部材１６ａのみで形成される開放型隔壁構造に形成されることもできる。
【００４０】
蛍光体層１９は、隔壁１６の内側面と、この隔壁１６で囲まれた誘電層１３の表面とに形成される。つまり、蛍光体層１９は、第１隔壁部材１６ａの内側面及び第２隔壁部材１６ａ，１６ｂの内側面と、これら第１隔壁部材１６ａ及び第２隔壁部材１６ｂによって囲まれた誘電層１３の表面とに形成される。
【００４１】
維持電極３１及び走査電極３２は、背面基板１０に対向する前面基板２０の表面に、アドレス電極１１と交差する第２方向（図面のｘ軸方向）に沿って延びて形成される。また、維持電極３１及び走査電極３２は、各放電セル１７に共に対応して面放電構造を形成する。
【００４２】
この維持電極３１及び走査電極３２は、各々透明電極３１ａ，３２ａ及びバス電極３１ｂ，３２ｂを含む。バス電極３１ｂ，３２ｂは、第２隔壁部材１６ｂに対応しながら、第２方向（図面のｘ軸方向）に沿って延びて形成される。透明電極３１ａ，３２ａは、バス電極３１ｂ，３２ｂから放電セル１７の中心部に向かって突出形成される。そして、維持電極３１の透明電極３１ａと走査電極３２の透明電極３２ｂとは、放電セル１７内で面放電構造の放電ギャップ（Ｇ’）を形成する。本実施の形態で、バス電極３１ｂ，３２ｂは第２隔壁部材１６ｂに隣接して配置されるが（図２参照）、第２隔壁部材１６ｂ上を通過するように形成されることもできる。
【００４３】
透明電極３１ａ，３２ａは、放電セル１７内部で面放電に関与する部分であり、開口率確保のために透明なＩＴＯ（インジウムスズ酸化物）で形成されることができる。バス電極３１ｂ，３２ｂは、透明電極３１ａ，３２ａの高い電気的抵抗を補償して通電性を確保するために、金属で形成されることができる。
【００４４】
維持電極３１及び走査電極３２は誘電層２１で覆われる。この誘電層２１は維持電極３１及び走査電極３２の損傷を防止し、放電時に壁電荷を形成及び蓄積する役割を果たす。
【００４５】
この誘電層２１上に保護膜２３が形成される。この保護膜２３は透明なＭｇＯで形成されることができ、誘電層２１を保護し、放電時に二次電子放出係数を増加させる。
【００４６】
このようなプラズマディスプレイパネルを駆動するために、まず、リセット期間では、走査電極３２に印加されるリセットパルスによってリセット放電が起こる。このリセット期間に繋がるアドレス期間では、走査電極３２に印加されるスキャンパルスと、アドレス電極１１に印加されるアドレスパルスとによってアドレス放電が起こる。その後、維持期間では、維持電極３１と走査電極３２に印加される維持パルスによって維持放電が起こる。
【００４７】
つまり、アドレス電極１１と走査電極３２との間のアドレス放電によって点灯される放電セル１７が選択され、維持電極３１と走査電極３２との間の維持放電によって、前記選択された放電セル１７で維持放電が起こるようになって、画像が具現される。
【００４８】
本実施の形態では、維持電極３１及び走査電極３２に維持放電に必要な維持パルスが印加され、走査電極３２にリセットパルス及びスキャンパルスが印加され、アドレス電極１１にアドレスパルスが印加される。しかし、これらの電極は、印加される電圧波形によってその役割を別にすることができるので、必ずしもこの役割に限定されるわけではない。
【００４９】
また、アドレス電極１１、維持電極３１、及び走査電極３２には端子部（図示せず）が形成され、これらの電極が回路ボード（図示せず）に連結されることができる。
【００５０】
このように電極に端子部が備えられるために、プラズマディスプレイパネルは、画像を実現（表示）する表示領域（ＡＡ）と、この表示領域（ＡＡ）の外周部（外郭）に備えられて画像を実現しない非表示領域（ＢＢ）とに区分されることができる。
【００５１】
この表示領域（ＡＡ）に形成された維持電極３１及び走査電極３２は、維持放電に関与して、画像を実現する。一方、非表示領域（ＢＢ）には、表示領域（ＡＡ）に形成された維持電極３１及び走査電極３２と、異なる形状の維持電極３１及び走査電極３２が形成される。一例として、非表示領域（ＢＢ）に形成された維持電極３１と走査電極３２は、表示領域（ＡＡ）に形成された放電ギャップ（Ｇ’）と同一な間隔を有し、表示領域（ＡＡ）に形成された維持電極３１及び走査電極３２よりも小さい面積を有するように形成されることができる（図２参照）。このような構成により、非表示領域（ＢＢ）に形成された維持電極３１及び走査電極３２は維持放電には関与しないが、表示領域（ＡＡ）の最外部に備えられる放電セル１７に電荷を供給できるようになる。
【００５２】
これにより、非表示領域（ＢＢ）で維持放電が起きないので、不要な光の発生が防止され、表示領域（ＡＡ）と比較すれば、優れた明暗比が確保される。また、表示領域（ＡＡ）の最外部に位置した放電セル１７に電荷が供給されることにより、表示領域（ＡＡ）の最外部に位置した放電セル１７の維持放電が安定的に行われる。
【００５３】
維持電極３１及び走査電極３２は、非表示領域（ＢＢ）で多様な形状に形成されることができる。本実施の形態において、非表示領域（ＢＢ）に形成された維持電極３１及び走査電極３２には各々副電極３１ａａ，３２ａａが備えられ、本実施の形態では、非表示領域に位置する維持電極３１及び走査電極３２の透明電極３１ａ，３２ａが副電極３１ａａ，３２ａａに対応する。この副電極は、維持電極及び走査電極のいずれか一つにのみ形成されることもできる（図示せず）。
【００５４】
また、非表示領域（ＢＢ）に形成された維持電極３１の副電極３１ａａと非表示領域（ＢＢ）に形成された走査電極３２の副電極３２ａａは、放電セル１７ａ内で対を成して互いに対向配置される。つまり、少なくとも一対の副電極３１ａａ，３２ａａが非表示領域（ＢＢ）の放電セル１７ａに対応して配置され、この副電極３１ａａ，３２ａａの間に間隔（Ｇ）が形成される。
【００５５】
これらの副電極３１ａａ，３２ａａの間隔（Ｇ）は、表示領域（ＡＡ）に備えられる維持電極３１と走査電極３２との放電ギャップ（Ｇ’）と同一の大きさに形成されることができる。
【００５６】
そして、非表示領域（ＢＢ）に形成される副電極３１ａａ，３２ａａの各々は、表示領域（ＡＡ）に形成される透明電極３１ａ，３２ａよりも小さい面積を有する。つまり、副電極３１ａａ，３２ａａは、透明電極３１ａ，３２ａのバス電極３１ｂ，３２ｂ側の一部を切断した形状を有する（図２参照）。
【００５７】
このような形状の副電極３１ａａ，３２ａａにより、維持電極３１と走査電極３２に維持電圧パルスが印加される場合、副電極３１ａａ，３２ａａの間で直接的に維持放電が起きないようになる。しかし、副電極３１ａａ，３２ａａに対応する放電セル１７ａに電荷が形成されることができ、この電荷が隣接する放電セル１７に供給されることができる。そして、この電荷は、表示領域（ＡＡ）の最外部に位置する放電セル１７の維持放電に関与して、放電安定性が向上される。また、副電極３１ａａ，３２ａａは相対的に小さい面積で形成されるので、消費電力が減少されることができる。
【００５８】
この非表示領域（ＢＢ）に形成される副電極３１ａａ，３２ａａは、各々第１部材１３１ａａ，１３２ａａ及び第２部材２３１ａａ，２３２ａａを含む。第１部材１３１ａａ，１３２ａａは、バス電極３１ｂ，３２ｂから第１方向（図面のｙ軸方向）に向かって延びて形成される。第２部材２３１ａａ，２３２ａａは、第１部材１３１ａａ，１３２ａａの端部から、非表示領域（ＢＢ）の放電セル１７ａを通過するように第２方向（図面のｘ軸方向）に延びて形成される。
【００５９】
この第１部材１３１ａａ，１３２ａａは、第１方向（図面のｙ軸方向）に伸張する第１隔壁部材１６ａに対応して形成される。本実施の形態で第１部材１３１ａａ，１３２ａａは、表示領域（ＡＡ）に隣接して形成された第１隔壁部材１６ａに対応して形成される。
【００６０】
図４は、本発明の第２の実施の形態によるプラズマディスプレイパネルにおける隔壁と電極との配置関係を示した部分平面図である。第２の実施の形態は、全体的な構成において第１の実施の形態の構成に類似している。したがって、ここでは第１の実施の形態と異なる部分のみについて比較説明する。
【００６１】
図４を参照すれば、第２の実施の形態では、非表示領域（ＢＢ）に形成される維持電極３１’の副電極（透明電極）３１ａａ’と走査電極３２’の副電極（透明電極）３２ａａ’の形状が、第１の実施の形態での副電極３１ａ，３２ａと異なるように形成される。つまり、第１の実施の形態とは異なって、本実施の形態による第１部材３３１ａａ，３３２ａａは、非表示領域（ＢＢ）に形成されたバス電極３１ｂ，３２ｂから第１方向（図面のｙ軸方向）に複数個延びて形成される。そして、この複数の第１部材３３１ａａ，３３２ａａは第２部材４３１ａａ，４３２ａａによって互いに連結される。
【００６２】
この時、第１部材３３１ａａ，３３２ａａが表示領域（ＡＡ）から遠くに位置するほど、第２方向（図面のｘ軸方向）に測定される第１部材３３１ａａ，３３２ａａの幅が広く形成される（Ｗ１＜Ｗ２＜Ｗ３…）。つまり、第１部材３３１ａａ，３３２ａａの幅が広く形成されるほど、より多くの電荷が放電セル１７ａ内に形成されることができるようになる。これにより、表示領域（ＡＡ）の最外部に備えられる放電セル１７に電荷がさらに効率的に供給できるようになるので、放電安定性が向上される。
【００６３】
図５は、本発明の第３の実施の形態によるプラズマディスプレイパネルにおける隔壁と電極との配置関係を示した部分平面図である。
【００６４】
図５を参照すれば、本実施の形態では、非表示領域（ＢＢ）で互いに対向配置される一対の副電極３１ａａ，３２ａａの間に第３隔壁部材１６ｃが形成される。言い換えれば、第３隔壁部材１６ｃは、非表示領域（ＢＢ）で第１方向（図面のｙ軸方向）に隣接する第２隔壁部材１６ｂの間に配置され、第２方向（図面のｘ軸方向）に延びて形成される。具体的に、第３隔壁部材１６ｃは、維持電極３１の第２部材３１ａａと走査電極３２の第２部材３２ａａとの間に配置される。
【００６５】
このように、第３隔壁部材１６ｃが副電極３１ａａ，３２ａａの間に配置されることにより、非表示領域（ＢＢ）で不要な光の発生が防止され、明暗比が向上されることができる。
【００６６】
一方、本実施の形態では、単一の第１部材１３１ａａ，１３２ａａを含む副電極３１ａａ，３２ａａの間に第３隔壁部材１６ｃが形成されたが、本発明がこれに限定されるわけではない。例えば、第２の実施の形態のように、複数の第１部材３３１ａａ，３３２ａａを含む副電極３１ａａ’，３２ａａ’の間に第３隔壁部材１６ｃが形成されることもできる。
【００６７】
以上、本発明の好ましい実施の形態について説明したが、本発明はこれに限定されるものではなく、本発明の特許請求の範囲と発明の詳細な説明及び添付した図面の範囲内で多様に変形して実施するのが可能であり、これもまた本発明の範囲に属する。
【図面の簡単な説明】
【００６８】
【図１】本発明の第１の実施の形態によるプラズマディスプレイパネルを示した部分分解斜視図である。
【図２】図１で、隔壁と電極との配置関係を概略的に示した部分平面図である。
【図３】図１のプラズマディスプレイパネルを組み立て、III−III線に沿って切断した断面を示した断面図である。
【図４】本発明の第２の実施の形態によるプラズマディスプレイパネルで、隔壁と電極との配置関係を示した部分平面図である。
【図５】本発明の第３の実施の形態によるプラズマディスプレイパネルで、隔壁と電極との配置関係を示した部分平面図である。
【符号の説明】
【００６９】
１０    背面基板、
１１    アドレス電極、
１３，２１    誘電層、
１６    隔壁、
１６ａ    第１隔壁部材、
１６ｂ    第２隔壁部材、
１６ｃ    第３隔壁部材、
１７，１７ａ    放電セル、
１９    蛍光体層、
２０    前面基板、
２３    保護膜、
３１，３１’    維持電極、
３１ａ，３２ａ    透明電極、
３１ａａ、３１ａａ’，３２ａａ，３２ａａ’    副電極、
３１ｂ，３２ｂ    バス電極、
３２，３２’    走査電極、
１３１ａａ，１３２ａａ，３３１ａａ，３３２ａａ    第１部材、
２３１ａａ，２３２ａａ，４３１ａａ，４３２ａａ    第２部材。
【図１】
2007042639.tif 000003
【図２】
2007042639.tif 000004
【図３】
2007042639.tif 000005
【図４】
2007042639.tif 000006
【図５】
2007042639.tif 000007